(57)【要約】【課題】  環境温度、環境湿度および振動等の使用環境条件やディスク交換に応じ、読取手段３に対し一度設定したパラメータを再設定しエラーレートを常に最小にする。【解決手段】  ピックアップ２、環境変化検出手段１１および振動検出手段１２からの使用環境情報等のデータが所定の変化を示すデータであって、かつ、エラーレート測定手段８からのエラーレートがエラーレート記憶手段１０に記憶してなる最小エラーレートに対し所定量以上悪化しているときには、再調整判断手段１４の判断に従い、エラーレート比較・パラメータ決定手段９でエラーレートを最小にするパラメータを再度決定させ、同決定したパラメータをパラメータ設定手段６より読取手段３に再設定させる。【選択図】        図１
2005116005.tif 000002
【特許請求の範囲】
【請求項１】
ディスクの記録データを読み取る読取手段と、
前記読取手段の読み取り動作特性決定用のパラメータを複数種類記憶しているパラメータ記憶手段と、
前記パラメータ記憶手段より所要のパラメータを読み出し、前記読取手段に設定するパラメータ設定手段と、
前記読取手段により読み取ったデータについてエラー訂正後、デコード手段を介しデコードデータを出力させるエラー訂正手段と、
前記エラー訂正手段におけるエラー訂正をもとにエラーレートを測定するエラーレート測定手段と、
前記測定されるエラーレートが最小となるパラメータを決定し、前記パラメータ設定手段より前記読取手段に対し同決定したパラメータに設定させるエラーレート比較・パラメータ決定手段と、
前記エラーレート比較・パラメータ決定手段から最小エラーレートを取得し、記憶するエラーレート記憶手段と、
使用環境情報のデータを発生する使用環境情報手段と、
前記最小エラーレートにするパラメータを設定後、前記使用環境情報手段からの使用環境情報のデータが所定の変化を示すデータであって、かつ、前記エラーレート測定手段からのエラーレートが前記エラーレート記憶手段に記憶してなる最小エラーレートに対し所定量以上悪化しているときには前記エラーレート比較・パラメータ決定手段でエラーレートを最小にするパラメータを再度決定させ、同決定したパラメータを前記パラメータ設定手段より前記読取手段に再設定させる判断を行う再調整判断手段とを備えたディスク再生装置。
【請求項２】
使用環境情報のデータは、ディスク上の欠陥、環境温度、環境湿度、磁気または振動を表すデータのいずれか１つあるいは複数の組合せからなることを特徴とする請求項１記載のディスク再生装置。
【請求項３】
ディスクの交換を検出するディスク交換検出手段を設け、再調整判断手段は、前記ディスク交換検出手段からディスク交換の検出データが入力されたときにはエラーレートを最小にするパラメータを再設定させる判断を行うことを特徴とする請求項１記載のディスク再生装置。
【発明の詳細な説明】
【技術分野】
【０００１】
この発明はディスク上に記録された情報データの読み取り（リード）におけるエラーレートを最小に設定するようにしたディスク再生装置に関するものである。
【背景技術】
【０００２】
ディスク上に記録された情報データの読み取り（リード）におけるエラーレートの大小はディスク再生装置としての基本性能を左右する重要事項である。
このエラーレートを最小にするようにした従来のディスク再生装置として以下のものがある（例えば、特許文献１参照）。
このディスク再生装置は、ピックアップを介し入力されるディスク記録データを読み取る読取手段と、この読取手段で読み取ったデータについてエラー訂正するエラー訂正手段、およびエラー訂正したデータをデコードして映像および音声等の各データを出力するデコード手段とからなる再生系と、前記読取手段に対しそのリード動作の特性を決定付けるパラメータを設定するパラメータ設定手段と、このパラメータを各種予め記憶しており、このパラメータ設定手段により読み出されるパラメータ記憶手段と、前記エラー訂正手段によるエラー訂正数および訂正不能数等のデータからエラーレートを測定するエラーレート測定手段と、このエラーレート測定手段による測定データからエラーレートが最小となるパラメータを検索し決定するエラーレート比較・パラメータ決定手段とを備えている。
【０００３】
上記構成において、エラーレートが最小となるパラメータの検索・決定は以下のように処理される。
パラメータ設定手段はパラメータ記憶手段に予め記憶している各種パラメータを順次読み出し、読取手段に対するパラメータの設定を順次変更する。このパラメータの順次変更はエラーレート比較・パラメータ決定手段からパラメータ設定手段へ指令される。この指令に従いパラメータ設定手段がパラメータ記憶手段より指定のパラメータを読み出す。
このように順次変更されるパラメータごとにエラーレート測定手段においてエラーレートが測定される。測定された各パラメータごとのエラーレートはエラーレート比較・パラメータ決定手段へ送られ、一旦記憶される。
所定種類のパラメータを順次設定し、それぞれのパラメータでエラーレートを測定した後、エラーレート比較・パラメータ決定手段は記憶した各パラメータごとのエラーレートのデータを比較し、エラーレートが最小となるパラメータを検索し決定する。同決定したパラメータをパラメータ設定手段により読取手段に設定させる。
これにより、読取手段はエラーレートが最小となるリード動作に設定される。
以上説明のパラメータ設定は、通常、ディスク再生装置の出荷時の１回のみ行われる。
【０００４】
【特許文献１】特開平７−７８３０２号公報
【発明の開示】
【発明が解決しようとする課題】
【０００５】
従来のディスク再生装置は以上のように構成されており、読取手段におけるデータ読み取りのエラーレートが最小となるようにパラメータ設定する機能は有しているが、このパラメータ設定を行うタイミングは通常、ディスク再生装置の出荷時の１回のみである。
従って、設定されたパラメータは限定された環境条件下での固定のものとなり、このため、例えば、実際に再生するディスク上の部分的な欠陥の他、環境温度、環境湿度、磁気または振動等のディスク再生に影響のある事象、さらにはディスク交換等に対し設定したパラメータが適合しない場合が生ずるが、このような場合にパラメータを再設定する術が無いという問題があった。
【０００６】
この発明は上記のような課題を解決するためになされたもので、ディスク上の部分的な欠陥、環境温度、環境湿度、磁気および振動等の使用環境条件やディスク交換を検出する手段を備え、この検出手段の情報に応じて一度設定したパラメータを再設定し、常に再生性能の確保を可能にしたディスク再生装置を得ることを目的とする。
【課題を解決するための手段】
【０００７】
この発明に係るディスク再生装置は、ディスク記録データを読み取る読取手段に対し、複数のパラメータの中からエラーレートが最小となるパラメータを設定するエラーレート比較・パラメータ決定手段と、前記最小エラーレートを記憶するエラーレート記憶手段と、使用環境情報のデータを発生する使用環境情報手段と、前記最小エラーレートにするパラメータを設定後、前記使用環境情報のデータが所定の変化を示すデータであって、かつ、測定されるエラーレートが前記記憶してなる最小エラーレートに対し所定量以上悪化しているときには、前記エラーレート比較・パラメータ決定手段でエラーレートを最小にするパラメータを再度前記読取手段に設定させる判断を行う再調整判断手段とを備えたものである。
【発明の効果】
【０００８】
この発明によれば、最小エラーレートにするパラメータを設定後、測定されるエラーレートが前記最小エラーレートに対し所定量以上悪化しているときには、エラーレートを最小にするパラメータを再度設定させるように構成したので、ディスク再生中に、そのディスク上の部分的な欠陥、環境温度、環境湿度、磁気または振動等の使用環境により当初設定したエラーレートが悪化しても読取手段に対してパラメータの再設定が可能となり、これによりエラーレートの最小化が確保され、ディスク再生中においてその再生性能を常に確保することができる効果がある。
【０００９】
この発明によれば、振動検出をパラメータ再設定の要件としているので、自動車等の移動体に搭載するディスク再生装置において本発明は特に有効となる効果がある。
【００１０】
この発明によれば、パラメータ再設定の要否は使用環境およびエラーレート悪化の程度の双方から判断するので、無用なパラメータ再設定が回避され、パラメータ再設定の回数を少なくすることができる効果がある。
【発明を実施するための最良の形態】
【００１１】
以下、この発明の実施の一形態を説明する。
実施の形態１．
図１はこの発明の実施の形態１によるディスク再生装置の構成を示すブロック図である。
図１において、このディスク再生装置は、ディスク１に記録されている情報データを取得するピックアップ２、このピックアップ２を介し入力されるディスク記録データを読み取る読取手段３、この読取手段３で読み取ったデータについてエラー訂正するエラー訂正手段４、およびエラー訂正したデータをデコードして映像および音声等の各データを出力するデコード手段５とからなる再生系と、前記読取手段３に対しその読み取り（リード）動作の特性を決定付けるパラメータを設定するパラメータ設定手段６、このパラメータを複数種類予め記憶しており、このパラメータ設定手段６により読み出されるパラメータ記憶手段７、エラー訂正手段４によるエラー訂正数および訂正不能数等のデータからエラーレートを測定するエラーレート測定手段８とを具備している。
【００１２】
さらに、このエラーレート測定手段８による測定データからエラーレートが最小となるパラメータを検索し決定するエラーレート比較・パラメータ決定手段９、エラーレート比較・パラメータ決定手段９で決定されたパラメータに対応する最小エラーレートを記憶するエラーレート記憶手段１０、温度、湿度または磁気等の環境変化を検出する環境変化検出手段１１、振動を検出する振動検出手段１２、ディスクの交換を検出するディスク交換検出手段１３を有する。
そして、最小エラーレートにするパラメータを設定後、エラーレート測定手段８からのエラーレートがエラーレート記憶手段１０に記憶してなる最小エラーレートを所定量以上悪化しているときには環境変化検出手段１１、振動検出手段１２またはディスク交換検出手段１３等からのデータに基づきエラーレート比較・パラメータ決定手段９でエラーレートを最小にするパラメータを再度決定させ、同決定したパラメータをパラメータ設定手段６より読取手段３に再設定させる判断を行う再調整判断手段１４とを具備している。
【００１３】
また、上記再調整判断手段１４には環境変化検出手段１１、振動検出手段１２およびディスク交換検出手段１３からの情報データの他、ピックアップ２からディスク上の欠陥を監視するための情報データも入力している。これら各種情報において、環境変化検出手段１１、振動検出手段１２およびピックアップ２からの情報データを総称して「使用環境情報」とし、これら情報の発生源を総称して「使用環境情報手段」とする。
【００１４】
また、環境変化検出手段１１は環境温度を検出する温度センサ、環境湿度を検出する湿度センサ、磁気を検出する磁気センサ等で構成し、振動検出手段１２は振動の強度を検出Ｇセンサ等で構成すればよく、ディスク交換検出手段１３は光センサを使用してディスク交換を検出すればよい。
なお、ディスク上の欠陥情報の他の取得法として、再調整判断手段１４がエラーレート測定手段８で測定されるエラーレートを常時監視し、このエラーレートが所定以上に大きくなった場合をディスク上の欠陥としてもよい。
【００１５】
次に、図１の動作を図２を用いて説明する。ここで図２は動作説明用のフローチャートである。
図２において、ステップＳＴ１では、読取手段３に対し、本再生装置の作動開始初期（例えば出荷時等）にそのリード動作の特性を決定付けるパラメータをパラメータ設定手段６により設定する。このパラメータ設定のもとに読取手段３はピックアップ２を介し入力されるディスク１の記録データを読み取る。
読取手段３で読み取ったデータはエラー訂正手段４においてエラー訂正される。エラー訂正されたデータはデコード手段５へ入力し、デコードされて映像および音声等の各データが出力される。
【００１６】
ステップＳＴ２では、エラー訂正手段４によるエラー訂正の情報、即ち、エラー訂正数および訂正不能数等のデータがエラーレート測定手段８へ送られ、エラーレート測定手段８はこれらデータからエラーレートを測定する。測定したエラーレートはエラーレート比較・パラメータ決定手段９に記憶される。
【００１７】
ステップＳＴ３では、エラーレート比較・パラメータ決定手段９は所定の全てのパラメータでエラーレートを測定したかにつき判断し、未だ全てのパラメータについてエラーレートの測定を終了していない場合（ステップＳＴ３−ＮＯ）、ステップＳＴ４へ進む。
【００１８】
ステップＳＴ４では、エラーレート比較・パラメータ決定手段９は読取手段３に対し次ぎのパラメータを選択し設定するようにパラメータ設定手段６に指示する。
【００１９】
上記指示に従い、パラメータ設定手段６はパラメータ記憶手段７より所定のパラメータを読み出し、読取手段３に対し設定する（ステップＳＴ１）。以下、上記ステップＳＴ２を経てステップＳＴ３へ至り、前記同様の判断が行われる。
以上説明のステップＳＴ１〜ステップＳＴ４を繰り返し、所定種類の全パラメータを順次変更し、同変更した各パラメータごとにエラーレートを測定する。
全てのパラメータでエラーレートの測定を終了した場合（ステップＳＴ３−ＹＥＳ）、ステップＳＴ５へ進む。
【００２０】
ステップＳＴ５では、エラーレート比較・パラメータ決定手段９は記憶している全パラメータに対するエラーレートのデータを比較し、エラーレートが最小になるパラメータを決定し、同決定したパラメータを読取手段３に対し設定するようにパラメータ設定手段６に指示する。この指示に従い、パラメータ設定手段６はパラメータ記憶手段７より上記決定したパラメータを読み出し、読取手段３に対し設定する。
【００２１】
ステップＳＴ６では、エラーレート記憶手段１０は前記ステップＳＴ５で決定され設定されたパラメータに対応する最小のエラーレートを記憶しておく。同記憶した最小エラーレートのデータを「Ｄｍ」とする。
【００２２】
ステップＳＴ７では、再調整判断手段１４は環境変化検出手段１１、振動検出手段１２またはピックアップ２からの温度、湿度、磁気、振動またはピックアップ出力信号等の使用環境情報が所定以上に変化したものか、またはディスク交換検出手段１３でディスク交換が検出されたかについて監視する。
この監視において、使用環境情報が所定以上に変化したものである場合、またはディスク交換が検出された場合（ステップＳＴ７−ＹＥＳ）、ステップＳＴ８へ進む。
この使用環境情報に関し、上記「所定以上に変化」はステップＳＴ８へ進むか否かの判断基準であり、この判断基準を温度、湿度、磁気、振動およびピックアップ出力信号の各環境要素ごと、またはこれら環境要素を適宜組み合わせて再調整判断手段１４に予め設定しておく。
【００２３】
なお、ディスク上の欠陥情報の取得法として上記ピックアップ２の出力信号に代え、前述の再調整判断手段１４がエラーレート測定手段８で測定されるエラーレートを常時監視する場合には、このエラーレートを判断基準として再調整判断手段１４に予め設定し、この判断基準を超えた場合にディスク上の欠陥としてステップＳＴ８へ進むようにしてもよい。
【００２４】
ステップＳＴ８では、再調整判断手段１４はエラーレート測定手段８から再生中のエラーレートを取得する。同取得したエラーレートのデータを「Ｄａ」とする。
【００２５】
ステップＳＴ９では、再調整判断手段１４はエラーレート記憶手段１０に記憶している最小エラーレートＤｍを読み出し、このＤｍとエラーレート測定手段８から取得したエラーレートＤａとを比較する。
この比較において、Ｄａ＞Ｄｍであってその差が所定量以上の場合（ステップＳＴ９−ＹＥＳ）、再調整判断手段１４は読取手段３に対するパラメータ設定を再調整する判断をし、ステップＳＴ１へ戻す。
上記ＤａとＤｍとの差の「所定量」は再調整の要否を決定する判断基準であり、前記ステップＳＴ７の使用環境情報と同様に再調整判断手段１４に予め設定しておく。
この場合、この「所定量」を使用環境情報の各環境要素ごとに異なる値に設定してもよく、または各環境要素に関係なく一定値に設定してもよい。
これにより、ディスク上の部分的な欠陥、温度、湿度、磁気または振動等の使用環境、または交換後の新たなディスクに適合したパラメータが読取手段３に再設定され、エラーレートが最小となる。
【００２６】
上記説明中のパラメータの具体的内容例としては、例えば読取手段３はその内部にＰＬＬ（位相ロックループ）回路を有しているので、上記設定するパラメータをこのＰＬＬの動作状態を設定するものとしてもよい。例えばＰＬＬを構成するフィルタ回路のカットオフ周波数とする。
また、他のパラメータ具体例として、読取手段３にはその内部にＨＰＦ（ハイパスフィルタ）も有しているので、上記設定するパラメータをこのＨＰＦのカットオフ周波数およびブースト量からなるものとしてもよい。
上記例のパラメータを複数種類についてパラメータ記憶手段７に予め用意しておくものである。
【００２７】
以上説明のパラメータ再調整（設定）はディスク再生中に行うものとしたが、電源再投入時やリセット後の復帰など、再起動時（再生開始前）に行うようにしてもよい。
この場合、電源再投入信号またはリセット信号を利用し、再調整判断手段１４が再起動時の読取手段３によるリードデータを用いて前記ステップＳＴ８以降の処理を行えばよい。
【００２８】
以上のように、この実施の形態１によれば、本再生装置の作動開始初期において最小エラーレートにするパラメータを設定後、ピックアップ２、環境変化検出手段１１および振動検出手段１２の使用環境情報手段からの使用環境情報のデータが所定の変化を示すデータであって、かつ、エラーレート測定手段８からのエラーレートがエラーレート記憶手段１０に記憶してなる最小エラーレートに対し所定量以上悪化しているときには、再調整判断手段１４の判断に従い、エラーレート比較・パラメータ決定手段９でエラーレートを最小にするパラメータを再度決定させ、同決定したパラメータをパラメータ設定手段６より読取手段３に再設定させるように構成したので、ディスク再生中に、そのディスク上の部分的な欠陥、環境温度、環境湿度、磁気または振動等の使用環境により当初設定したエラーレートが悪化しても読取手段３に対してパラメータの再設定が可能となり、これによりエラーレートの最小化が確保され、ディスク再生中においてその再生性能を常に確保することができることとなる。
【００２９】
また、振動検出手段１２による振動検出をパラメータ再設定の要件としているので、自動車等の移動体に搭載するディスク再生装置においてこの発明は特に有効となる。
【００３０】
また、パラメータ再設定の要否は使用環境およびエラーレート悪化の程度の双方から判断するので、無用なパラメータ再設定が回避され、パラメータ再設定の回数を少なくすることができる。
【００３１】
また、ディスク１の交換を検出するディスク交換検出手段１３を設け、再調整判断手段１４は、このディスク交換検出手段１３からディスク交換の検出データが入力されたときにはエラーレートを最小にするパラメータを再設定させる判断を行う構成としたので、再生するディスクが交換された場合にも読取手段３に対してパラメータの再設定が可能となり、これによりディスクのバラツキ等によるエラーレートの悪化が防止され、ディスクごとにその再生性能を常に確保することができることとなる。
【図面の簡単な説明】
【００３２】
【図１】この発明の実施の形態１によるディスク再生装置の構成を示すブロック図である。
【図２】この発明の実施の形態１によるディスク再生装置の動作説明用のフローチャートである。
【符号の説明】
【００３３】
１  ディスク、２  ピックアップ、３  読取手段、４  エラー訂正手段、５  デコード手段、６  パラメータ設定手段、７  パラメータ記憶手段、８  エラーレート測定手段、９  エラーレート比較・パラメータ決定手段、１０  エラーレート記憶手段、１１  環境変化検出手段、１２  振動検出手段、１３  ディスク交換検出手段、１４  再調整判断手段。
【図１】
2005116005.tif 000003
【図２】
2005116005.tif 000004